(57)【要約】      （修正有）【課題】加熱式ホットパックに用いる素材ＣＭＣと水を混成して成るジェルが頻繁な加熱による消耗硬化を復元する際の、パック加熱時の容器破損を防ぎ、簡単なジェルの作り方と容易なジェルの保存方法を提供する。【解決手段】開閉口付の容器に、粘度表を参考にＣＭＣと水を混ぜたジェルを注入してジェルパックを作成し、該パックの開口状態で電子レンジ又は熱湯で加熱しホットパックを作る。頻繁な加熱による水分の気化でジェルの粘度が硬化したら前記開閉口より容器内に消失量に等しい水を注入しジェルに混ぜて元の粘度に還元してジェルパックを再生する。ジェルに在るＣＭＣの保水力が衰えるまで繰り返して使用する事を可能にした。パック加熱時には前記開閉口を開けた状態で行えば空気膨張によるパック破損を防止できる。安価で容易に製造できる該ジェルは冷凍機の製氷皿に入れてジェル魂とし、該ジェル魂を容器にパックして保冷具、保温具として使える。【選択図】図１
2006051304.tif 000002
【特許請求の範囲】
【請求項１】
清潔な水に、国が定めた食品安全基準値以内の防腐剤、ソルビン酸カリュウムムを混入し、煮沸消毒を加えた混合水（１）を作る。ＣＭＣ（２）（カルボシキ．メチル．セルロースナトリューム）の粉末又は顆粒の其々性質に応じ、前記ＣＭＣ（２）と混合水（１）を混成させて粘度化なる、粘度＝ＣＭＣ：混合水、の粘度別ＣＭＣと水の割合を示す粘度表（３）を作る。
前記粘度表（３）を参考にして作るホットパック用に相応しい粘度のジェル（４）を、容器から導管（５）が伸び出た先に開閉口（６）が在る形状の、ナイロンポリフィルムを重合したフィルム状容器（７）の中に納め、開閉口（６）を開けた状態にしたパックを加熱用具で加熱し加熱が終了すると口をクリップ止めして閉じて成る、加熱式のホットパック（Ａ）を作る。
内側面を柔らかく滑らかな鏡面仕上げの塩化ビニール系フィルムで構成した、ホットパックのカバー（８）を作り、加熱された前記ホットパック（Ａ）の容器滑らかなフィルム面に、該カバー（８）の内側面をはり合わせるように包み、保温用具として使用する。
該ホットパックが頻繁な加熱により内容のジェルから水分が気化し、ジェルの粘度が硬化し不具合が生じた時は、前記開閉口（６）より前記混合水（１）を注入混成し、相応しい粘度に再生する。
パックの加熱時に前記開閉口（６）を開けた状態で行うと、容器内の圧力が回避されパック破損を予め防止する。
ＣＭＣを基材としたホットパックのジェル再生装置とホットパック破損防止装置があるホットパック、並びに該ホットパックに用いるジェルの製法。
【請求項２】
平面に蓋で開閉する注入口（９）が在る、ＰＰ（ポリプロピレン）製の箱型容器（１０）の中に請求項１のジェル（４）を納めたホットパック（Ｂ）を作り、請求項１と同じく加熱時やジェル再生時には注入口（９）の蓋を開閉して用いて成る。ＣＭＣを基材としたホットパックのジェル再生装置とホットパック破損防止装置があるホットパック、並びに該ホットパックに用いるジェルの製法。
【請求項３】
容器から導管（１１）が伸び出た先に開閉口（１２）が在るゴム製容器（１３）の中に請求項１．２のジェル（４）を納めたホットパック（Ｃ）を作り、請求項１と同じく加熱時やジェル再生時には開閉口（１２）を開閉して用いて成る。ＣＭＣを基材としたホットパックのジェル再生装置とホットパック破損防止装置があるホットパック、並びに該ホットパックに用いるジェルの製法。
【請求項４】
製氷皿（１３）に、請求項１．２．３で使用するジェル（４）を入れ、冷凍機において凍結させたジェル魂（１４）を作り、ジェルパックを作る際に前記ジェル魂（１４）をパックする容器に納めて、加熱して成る請求項１．２．３のＣＭＣを基材としたホットパックのジェル再生装置とホットパック破損防止装置があるホットパック、並びに該ホットパックに用いるジェルの製法。
【発明の詳細な説明】
【技術分野】
【０００１】  加熱式ホットパックの硬化消耗したジェルを再利用する資源再利用と、加熱によるパック破損防止をする装置を施すホットパックと、該ホットパックなどに用いるジェルの製法関する。
【背景技術】
【０００２】  ＣＭＣと水、添加剤を混入したジェルを容器に密封して用いる加熱式ホットパックは、加熱して使用する頻度が多くなれば、ジェルに含まれた水分が次第に気化し粘度硬化が起きて不具合に成り、機能低下を招き廃棄しなければならなくなる。
また、ホットパックを加熱する際うっかり加熱量をオーバーさせると、容器内の圧力が増大して容器に負担が掛かり、パック破損を招き易いなど、取り扱い上の安全性と資源の有効利用等に問題があった。
【発明の開示】
【発明が解決しようとする課題】
【０００３】  安全性が高いＣＭＣを選んだ基材でジェルを作り、該ジェルを容器に入れて用いる加熱式ホットパックを作り、使用頻度が度重なると加熱によるジェルの硬化が起きて不具合に成った場合、ジェル粘度を次の手段を講じて再生させる。
加熱オーバーによるパック破損についても次の手段を講じて防止して上記課題を解決する。
【課題を解決するための手段】
【０００４】  清潔な水に、国が定めた食品安全基準値以内の防カビ剤、防腐剤、としてソルビン酸カリュウムムを混入し、煮沸消毒を加えた混合水を作り、ＣＭＣ（カルボシキ．メチル．セルロースナトリューム）の粉末又は顆粒の其々の性質に応じ、前記ＣＭＣと混合水を混成させて粘度化なる、粘度＝ＣＭＣ：混合水、の粘度別ＣＭＣと水の割合を示す粘度表を作り、前記粘度表を参照して作るホットパック用に相応しい粘度のジェル（場合によりＣＭＣ＋水、ＣＭＣ＋蒸留水、ＣＭＣ＋水＋安定剤、ＣＭＣ＋防腐剤＋安定剤、それらに着色したり香料を混ぜたり、それらを組み合わせたりしたジェルも良いし、用いるパックの容器内で調合して作るのも良い）を、容器から導管が伸び出た先に開閉口が在る形状の、ナイロンポリフィルムを重合したフィルム状容器の中に納め、開閉口を開けた状態にしたパックを、加熱用具（温熱水槽やレンジ）で加熱し、加熱が終了すると口をクリップ止めして閉じて成る、加熱式のホットパックを作る。（別の容器で加熱したジェルを該フィルム容器に移入するのも良い）
内側面を柔らかく滑らかな鏡面仕上げの塩化ビニール系フィルムで構成した、ホットパックのカバーを作り、加熱された前記ホットパックの容器の滑らかなフィルム面に、該カバーの内側面をはり合わせるように包み、保温用具として使用する。
該ホットパックが頻繁な加熱により内容のジェルから水分が気化し、ジェルの粘度が次第に硬化しホットパックとして使用するには不具合な状態になった時は、前記パックの開閉口より前記混合水（清潔な水や加熱滅菌した水を混合水の代わりに用いても良いが、後日ジェルにカビが発生する場合があり、カビが発生するとジェルが次第に分解する）を注入混成し、相応しい粘度に再生できる。
パックの加熱時に前記開閉口を開けた状態で行うと、容器内の圧力が回避されパック破損を予め防止できる。
ＣＭＣを基材としたホットパックのジェル再生装置とホットパック破損防止装置があるホットパックを提供し、該ホットパックに用いるジェルの製法を提供する。【０００５】  平面に蓋で開閉する注入口が在る、ＰＰ（ポリプロピレン）製の箱型容器の中に前記ジェルを納めたホットパックを作り、前記と同じく加熱時やジェル再生時には注入口の蓋を開閉じて用いて成る。ＣＭＣを基材としたホットパックのジェル再生装置とホットパック破損防止装置があるホットパック、並びに該ホットパックに用いるジェルの製法を提供する。【０００６】  容器から導管が伸び出た先に開閉口が在るゴム製容器の中に前記ジェルを納めたホットパックを作り、前記と同じく加熱時やジェル再生時には開閉口を開閉して用いて成る。ＣＭＣを基材としたホットパックのジェル再生装置とホットパック破損防止装置があるホットパック、並びに該ホットパックに用いるジェルの製法を提供する。容器から導管が伸び出た先に開閉口の代わりに、ゴム容器の平面に蓋付開閉口を設けた容器にして、加熱するときは口を中空上向きに開けて行うホットパックも良い。【０００７】  使いやすい形状の製氷皿に、上記請求項１．２．３で使用するジェルを入れ、冷凍機において凍結させたジェル魂（１４）を作り、ジェルパックを作る際に前記ジェル魂をそのまま、あるいは解凍してパックする容器に納めたジェルパックを加熱して成る請求項１．２．３のＣＭＣを基材としたホットパックのジェル再生装置とホットパック破損防止装置があるホットパック、並びに該ホットパックに用いるジェルの製法とジェルの凍結化とジェルの凍結備蓄使用方法とを提供する。【０００８】  ジェルを作った端からパックしたジェルパックを、直ちに過熱して使用するホットパックにおいては、内容のジェルにカビが発生する心配が殆んど無いから、ジェルの防腐剤や安定剤等の添加をしないジェルが入ったパックを加熱して用いるのも良い。
頻繁に医療用として使用するホットパックは、その現場にＣＭＣと水と容器と前記粘度表を準備し、使用する前日に粘度表を参照し容器の口にＣＭＣと水を混入（攪拌しなくても時間を掛ければ自然に融合ジェル化する）して置くと、翌日には新しいホットパック出来ているから、この方法で、ナイロンポリ製容器にＣＭＣと水道水を粘度表に照らした率で入れて、中の空気を出来るだけ出し容器の口を接着機（シーラー）で密封したホットパックを作り、該パックが頻繁な使用で不具合な状態に粘度硬化や、容器破損が起きた場合は消却廃棄する。上記方法で新しいホットパックを作って使用するのも良い。【０００９】  ＣＭＣと水の比率で決まるジェル粘度を表す配分表、安全なジェルに関する説明を参考にした計量カップと、ＣＭＣ、水、安全な食品用の防腐剤と容器があれば、容器に配分表の比率のＣＭＣ素材と水を混入したジェルを作ル事が容易に出来る、混入して攪拌すれば早いが、攪拌しない時でも時間を掛ければＣＭＣの保水が次第に進みジェル化できる。できたパックを冷凍保存備蓄し、必要時に備蓄したジェルをパック用の容器に入れ、加熱してホットパックとして湯たんぽ代わり、温熱あんかにしたり、解凍して髭そり用ジェルにしたり、或いは冷凍のまま別の容器に入れて保冷具として使うのも良い。
安全なジェル魂を冷凍庫の製氷皿に入れて置いても、性状を良く選んだＣＭＣと清潔な飲み水だけから出来ているジェル魂なら、万一口に入り飲み込んでも安全な物質であり、自在に製作する事も良い。
【発明の効果】
【０００１０】  ＣＭＣ（カルボキシ．メチル．セルロースナトリューム）を基材に水を混ぜただけのジェル、または防腐剤しようについて国が指定する食品安全基準に照らした防腐剤や安定剤の添加のジェルだけ使用するから、人の身体に使うパックの内容物として安心できる。
加熱する使用回数が頻繁になるとジェルが硬化しても、水だけ補填すれば内容のＣＭＣに在る給水能力が降下しない限り、ジェルの粘度が快復し、ジェル再利用が行え経済的な無駄が無くなる。
加熱する場合に開閉口、開閉蓋を開けたまま行うとパック破損を防げて扱いが安全である。
ＣＭＣ粘度表を参考にして、鍋の中でジェルを作り、そのまま加熱したジェルを容器に入れて使用できるし、冷凍保存も容易にできる。
など、ＣＭＣと水を混ぜて加熱してジェルを用いた湯たんぽとして、携行できるアンカとして安全有効な保温具として最適であり、保冷具としても使える。
内容の物質が安全である点、素材が安価である点、扱いが簡単で安全である点、再生使用が容易である点、保存が容易である点等の効果がある。
【発明を実施するための最良の形態】
【００１１】  粘度表と計量カップを使い安全性の高いＣＭＣと水をバランス良く混成し、開閉口付のナイロンポリ重合フィルム容器に入れるだけで容易にジェルパックが出来、ホットパックとして加熱頻度が増すと次第にジェルの硬化が起きるが、開閉口から水を混入するとジェルはＣＭＣの給水能力がある間は再生し再利用できる。加熱するとき開閉口を開けて行えばパックの破損が防止できる。ジェルの冷凍化と冷凍保存も容易であり、パックした状態でも可能である。
【実施例１】
【００１２】  図１．図２は、粘度表を参考に、ＣＭＣと水を混ぜたジェルを入れたナイロンポリ重合フィルム容器は、中から伸びて出した管があり、その管に先に開閉口があり、加熱の際は開閉口を開いて中空上方に向け、加熱が終了したら管をクリップで閉じ、カバーで包んで使用するが、頻繁に使用しジェル粘度が硬化しパックとして不具合な場合は、水を（ジェルが気化して消失した水分程であるが、パックの重さを基準にした量でよい）開閉口からパックの中に注入すると、次第に硬化したジェルが水を吸収するが、急ぐ時は混ぜる動作を加えると適正粘度に成る。
【実施例２】
【００１３】  図３．図４は、粘度表を参考にＣＭＣと水を混ぜたジェルを入れた開閉蓋付ポリプロピレン製の硬質容器である、加熱の際は開閉口を中空上方に向けて開き、ジェル粘度が適当であれば加熱し、加熱が終了したら開閉口を閉じる、湯たんぽのように、アンカのように用いるが、ジェル粘度が硬化して不適な場合は、容器の蓋を開け安全な水を適量補填して混成し、適正粘度に成った事を確認して加熱使用した。
【実施例３】
【００１４】  図５は、粘度表を参考にＣＭＣと水を混ぜたジェルを入れた開閉口付ゴム製の容器である、加熱の際は開閉口を中空上方に向けて開き、ジェル粘度が適当であれば加熱し、加熱が終了したら伸びた管をクリップで閉じる、柔らかな湯たんぽのように、アンカのように用いるが、ジェル粘度が硬化して不適な場合は、安全な水を適量補填して混成し、適正粘度に成った事を確認して加熱使用した。
【実施例４】
【００１５】  図６は、粘度表を参考にＣＭＣと水を混ぜたジェルを入れた開閉蓋付ゴム容器である、加熱の際は開閉口を中空上方に蓋を向けて開き、ジェル粘度が適当であれば加熱し、加熱が終了したら開閉口を閉じる、湯たんぽのように、アンカのように用いるが、ジェル粘度が硬化して不適な場合は、容器の蓋を開け安全な水を適量補填して混成し、適正粘度に成った事を確認して加熱使用した。
【産業上の利用可能性】
【００１６】  ホットパックに使うジェルが、安価で安全な物質である点を重視、取り扱いが簡便で、安価であり、保温性にも優れ病院で使う医療用具として、一般家庭用の保温具として広範に利用できるから可能性は無限にある。
【図面の簡単な説明】
【００１７】
【図１】フィルム容器に、粘度表を参考にしてＣＭＣと水を混入してなるジェルを入れ、開閉口を上に開け電子レンジで加熱後、クリップで口を閉じ、カバーで包んだ加熱式ホットパックＡの断面図である。（実施例１）
【図２】フィルム容器にジェルを納めクリップで導管を閉じた加熱式ホットパックＡのフィルムパックした状態を示す斜視図である。（実施例１）
【図３】硬質ポリプロピレン製容器に、粘度表を参考にしてＣＭＣと水を混入してなるジェルを入れ、開閉口蓋を上に開け電子レンジで加熱後、蓋を閉じた加熱式ホットパックＢの断面図である。（実施例２）
【図４】箱型の加熱式ホットパックＢの開閉蓋を開けた状態を示す斜視図である。（実施例２）
【図５】容器の中から管状に伸びた先に開閉口があるゴム製容器に、粘度表を参考にしてＣＭＣと水を混入してなるジェルを入れた加熱式ホットパックＣで、導管をクリップで閉じた  断面図である。（実施例３）
【図６】ゴム容器ホットパックの開閉蓋を開けた状態を示す保温具の斜視図である。（実施例４）
【符号の説明】
【００１８】  ４        ジェル
６．１２  開閉口
７        フィルム容器
８        カバー
１１      導管
【図１】
2006051304.tif 000003
【図２】
2006051304.tif 000004
【図３】
2006051304.tif 000005
【図４】
2006051304.tif 000006
【図５】
2006051304.tif 000007
【図６】
2006051304.tif 000008